(57)【要約】【課題】周辺装置に関連する情報を容易に表示する。【解決手段】『トレイ選択画面』を表示するようにＵＩ部５６を介して選択すると、画像形成装置本体１２は、外部シート供給装置１６に関連した表示データを外部シート供給装置１６のＲＯＭ７８ｂから受信してＵＩ部５６に表示する。画像形成装置本体１２に接続される外部シート供給装置１６がオプショントレイ５８ａのみを有するものから、オプショントレイ５８ａ，５８ｂを有するものに変更されると、ＵＩ部５６に表示される画像も接続される外部シート供給装置１６の種類に応じて変化する。【選択図】          図３
2005055492.tif 000002
【特許請求の範囲】
【請求項１】
電子装置本体と、この電子装置本体に接続される少なくとも１つの周辺装置とを具備し、前記電子装置本体は、該電子装置本体に接続されている前記周辺装置に関連する情報を前記周辺装置から受信する受信手段と、この受信手段によって受信した受信データに基づく表示をする表示手段とを有し、前記周辺装置は、前記表示手段が表示すべき情報を含むデータを記憶する記憶手段と、データを前記電子装置本体に送信する送信手段とを有することを特徴とする電子装置。
【請求項２】
受信データには、画像データが含まれ、前記表示手段は前記画像データに基づく画像を表示することを特徴とする請求項１記載の電子装置。
【請求項３】
前記送信手段は、前記表示手段が受信データに基づく表示をすることが必要な場合に、データを送信することを特徴とする請求項１又は２記載の電子装置。
【請求項４】
前記電子装置本体は、前記受信手段によって受信した受信データを記憶する受信データ記憶手段をさらに有し、前記送信手段は、前記周辺装置が有効になった場合に、データを送信することを特徴とする請求項１又は２記載の電子装置。
【請求項５】
前記電子装置本体は、前記受信手段によって受信した受信データを記憶する受信データ記憶手段をさらに有し、前記送信手段は、前記周辺装置が有効になった場合、及び前記表示手段が受信データに基づく表示をすることが必要な場合にデータを送信することを特徴とする請求項１又は２記載の電子装置。
【請求項６】
受信データは、制御データをさらに含み、前記送信手段は、制御データとその他の受信データとを異なる方式で送信することを特徴とする請求項４又は５記載の電子装置。
【請求項７】
受信データには、画像データ及び制御データが含まれ、この画像データと制御データとを関連付ける対応テーブルをさらに有し、前記表示手段は、前記対応テーブルに基づいて表示をすることを特徴とする請求項６記載の電子装置。
【請求項８】
前記電子装置本体は、少なくとも像担持体を有する画像形成装置本体であることを特徴とする請求項１乃至７いずれか記載の電子装置。
【発明の詳細な説明】
【０００１】
【発明の属する技術分野】
本発明は、周辺装置を接続可能な電子装置に関する。
【０００２】
【従来の技術】電子装置においては、機能を拡張するために、電子装置本体に周辺装置を接続することは周知である。電子装置本体は、接続される周辺装置が新たな周辺装置である場合などに、該周辺装置に対応するデータを具備していないことがある。電子装置本体が周辺装置の制御プログラムを具備していない場合、周辺装置から電子装置本体に制御プログラムを送るようにすることは公知である（特許文献１、特許文献２参照）。
【０００３】
【特許文献１】特開平７−２６４３６１号公報
【特許文献２】特開平８−６９２２４号公報
【０００４】
【発明が解決しようとする課題】
しかしながら、周辺装置に関連する情報を電子装置本体側で表示させるようにすると、周辺装置に関連する表示データの全てを電子装置本体が保持することとなり、電子装置本体に大容量のメモリが必要になることがある。特に、周辺装置に関連する表示データが画像データの場合には、文字（テキスト）表示をさせる場合の表示データの量及び制御プログラムのデータの量よりも、保持すべき表示データの量が大幅に多くなることがある。
【０００５】本発明は、上記従来の問題点を解消し、周辺装置に関連する情報を容易に表示することができる電子装置を提供することを目的としている。
【０００６】
【課題を解決するための手段】上記目的を達成するため、本発明の第１の特徴とするところは、電子装置本体と、この電子装置本体に接続される少なくとも１つの周辺装置とを具備し、前記電子装置本体は、該電子装置本体に接続されている前記周辺装置に関連する情報を前記周辺装置から受信する受信手段と、この受信手段によって受信した受信データに基づく表示をする表示手段とを有し、前記周辺装置は、前記表示手段が表示すべき情報を含むデータを記憶する記憶手段と、データを前記電子装置本体に送信する送信手段とを有する電子装置にある。したがって、電子装置本体は、接続されている周辺装置に関連する情報を周辺装置から受信することができるので、接続される可能性のある全ての周辺装置に関連する情報を保持する必要がなくなり、該電子装置本体内に設けられるメモリの容量を抑えることができる。
【０００７】受信データには、画像データが含まれ、前記表示手段は前記画像データに基づく画像を表示することが好ましい。したがって、電子装置本体は、接続されている周辺装置に関連する画像データを周辺装置から受信することができるので、接続される可能性のある全ての周辺装置に関連する画像データを保持する必要がなくなり、接続されている周辺装置に関連するユーザフレンドリな表示を可能にしつつ、該電子装置本体内に設けられるメモリの容量を抑えることができる。
【０００８】また、前記送信手段は、前記表示手段が受信データに基づく表示をすることが必要な場合に、データを送信することが好ましい。
【０００９】また、前記電子装置本体は、前記受信手段によって受信した受信データを記憶する受信データ記憶手段をさらに有し、前記送信手段は、前記周辺装置が有効になった場合に、データを送信することが好ましい。したがって、電子装置本体は、受信データが必要になる以前から、受信データを受信データ記憶手段に記憶しておくことができるので、受信データが必要になった場合に、受信手段による受信時間を費やすことなく受信データを使用することができる。
【００１０】また、前記電子装置本体は、前記受信手段によって受信した受信データを記憶する受信データ記憶手段をさらに有し、前記送信手段は、前記周辺装置が有効になった場合、及び前記表示手段が受信データに基づく表示をすることが必要な場合にデータを送信することが好ましい。即ち、電子装置本体は、表示までの時間が短いことが必要な情報を周辺装置が有効になった場合に受け入れ、表示に時間がかかってもよい情報を必要な場合に受信することができ、受信データ記憶手段を有効に活用し、表示手段による表示の応答を速くすることができる。
【００１１】受信データは、制御データをさらに含み、前記送信手段は、制御データとその他の受信データとを異なる方式で送信することが好ましい。したがって、送信手段は、制御データなどのデータ量の少ないデータと、画像データなどのデータ量の多いデータとを区別して送信することができるので、データを効率的に送信することができる。
【００１２】受信データには、画像データ及び制御データが含まれ、この画像データと制御データとを関連付ける対応テーブルをさらに有し、前記表示手段は、前記対応テーブルに基づいて表示をすることが好ましい。したがって、受信データ記憶手段に記憶されている受信データと、対応テーブルとを用いることにより、送信手段から同じデータが送信されることを不要とすることができるので、データを効率的に送信することができ、表示手段による表示の応答を速くすることができる。
【００１３】前記電子装置本体は、少なくとも像担持体を有する画像形成装置本体であることを含むものである。
【００１４】
【発明の実施の形態】次に本発明の実施形態を図面に基づいて説明する。
本発明の実施形態に係る電子装置は、周辺装置を接続可能な電子装置を含み、例えば画像形成装置、ＰＣ（パーソナルコンピュータ）などを含む。
以下、説明を具体化するために、本発明の実施形態に係る電子装置として画像形成装置を例に説明する。
図１において、本発明の実施形態に係る画像形成装置１０の概要が示されている。画像形成装置１０は、画像形成装置本体１２、画像読取装置１４、外部シート供給装置１６及び後処理装置１８から構成されている。
【００１５】画像形成装置本体１２は、例えば３段のシート供給トレイ２０を有し、これらシート供給トレイ２０のそれぞれには供給ヘッド２２が設けられている。シート供給トレイ２０の一つが選択されると、供給ヘッド２２が作動して選択されたシート供給トレイ２０からシート供給路２４を介してプリントエンジン２６にシートが供給される。
【００１６】プリントエンジン２６は例えばゼログラフィからなり、感光体２８と、この感光体２８の表面を一様に帯電させる帯電ロール３０と、感光体２８に潜像を書き込むレーザ書込み装置３２と、現像する現像装置３４と、現像されたトナー像をシートに転写する転写ロール３６と、残留トナーをとるクリーナ３８と、シートのトナー像を定着させる定着装置４０とを有する。帯電ロール３０により感光体２８の表面が一様に帯電され、レーザ書込み装置３２により潜像が形成され、この潜像が現像装置３４により現像され、転写ロール３６によりシートに転写され、定着装置４０により定着され、シート排出路４２から後処理装置１８を介してシート排出トレイ４４ａ，４４ｂいすれかに排出される。
【００１７】ただし、両面印刷が設定された場合は、定着装置４０により一面が定着されたシートは、シート排出路４２から反転装置４６に送られ、この反転装置４６で反転され、シート反転路４８に送られ、再びシート供給路２４に戻され、プリントエンジン２６に送られて他面の印刷がなされる。
【００１８】画像読取装置１４は、ＡＤＦ等の自動原稿送り装置５０と、この自動原稿送り装置５０により送られた画像を読取走査するスキャナ５２とを有する。自動原稿送り装置５０によりシートはプラテン５４に送られ、プラテン５４上でスキャナ５２によりシートの画像が読み取られる。画像形成装置１０により複写が設定された場合は、画像読取装置１４で読み取られた画像が画像形成装置本体１２により印刷されて複写されるものである。
【００１９】入力・表示（ＵＩ）部５６は、例えばタッチパネルからなり、画像形成装置本体１２の上部に設けられ、画像形成装置本体１２、画像読取装置１４、外部シート供給装置１６及び後処理装置１８の処理内容を選択し、かつ表示するようになっている。
【００２０】外部シート供給装置１６は、例えば２段のオプショントレイ５８ａ，５８ｂを有し、これらオプショントレイ５８ａ，５８ｂのそれぞれには、シート供給トレイ２０と同様に供給ヘッド２２が設けられている。オプショントレイ５８ａ，５８ｂの１つが選択されると、供給ヘッド２２が作動して選択されたオプショントレイ５８ａ，５８ｂのいずれかからシート供給路２４を介してプリントエンジン２６にシートが供給されるようになっている。
【００２１】後処理装置１８は、ステープラ６０などを有し、ＵＩ部５６の選択に応じて使い分けられる。ステープラ６０が選択されなかった場合には、そのままシート排出トレイ４４ａ，４４ｂいずれかに排出される。
【００２２】図２において、画像形成装置本体１２、画像読取装置１４、外部シート供給装置１６及び後処理装置１８それぞれの構成が示されている。電子装置本体１２は、ＣＰＵ６２、ＲＯＭ６４、ＲＡＭ６６、プリントエンジン２６、入力・表示（ＵＩ）部５６及び通信インターフェイス部（通信Ｉ／Ｆ）６８などを有し、これらが互いにシステムバス７０を介して信号を入出力することができるように構成されている。
【００２３】ＣＰＵ６２は、システムバス７０を介して画像形成装置本体１２を構成する各部分との間で信号を送受し、画像形成装置本体１２を構成する各部分を制御する。ＲＯＭ６４は、画像形成装置本体１２を制御する制御プログラムなどのデータを記憶し、ＣＰＵ６２からのアクセスにより、記憶しているデータをシステムバス７０を介してＣＰＵ６２などに出力する。なお、ＲＯＭ６４は、後述する画像形成装置本体１２が受信するデータを電源がオフにされても保持するために、フラッシュＲＯＭなどの不揮発性メモリであってもよい。ＲＡＭ６６は、ＣＰＵ６２が画像形成装置本体１２を制御するためのデータ、並びに、画像読取装置１４、外部シート供給装置１６及び後処理装置１８から通信Ｉ／Ｆ６８を介して受信したデータなどを記憶する。プリントエンジン２６は、ＣＰＵ６２の制御に基づいて、上述したように画像を形成する。
【００２４】ＵＩ部５６は、作業者からの入力を受け入れて、画像形成装置本体１２、画像読取装置１４、外部シート供給装置１６及び後処理装置１８の処理内容を選択し、表示する。また、ＵＩ部５６は、画像読取装置１４、外部シート供給装置１６及び後処理装置１８から通信Ｉ／Ｆ６８を介して受信したデータに基づく表示をすることができるようになっている。通信Ｉ／Ｆ６８は、画像読取装置１４、外部シート供給装置１６及び後処理装置１８それぞれと、シリアルバス８８及びパラレルバス９０を介して信号を送受し、システムバス７０を介してＣＰＵ６２、ＲＡＭ６６及びＵＩ部５６などとの間で信号を送受する。
【００２５】シリアルバス８８は、データ量の少ない制御データなどを伝送する。パラレルバス９０は、データ量の多い画像データなどを伝送し、シリアルバス８８よりも高速にデータを伝送することができる高速シリアルバスなどでもよい。即ち、シリアルバス８８及びパラレルバス９０それぞれは、データの種類に応じて用いられる。
【００２６】画像読取装置１４は、ＣＰＵ７６、ＲＯＭ７８ａ、ＲＡＭ８０、画像読取装置制御部８２及び通信インターフェイス部（通信Ｉ／Ｆ）８４などを有し、これらが互いにシステムバス８６を介して信号を入出力することができるように構成されている。ＣＰＵ７６は、システムバス８６を介して画像読取装置１４を構成する各部分との間で信号を送受し、画像読取装置１４を構成する各部分を制御する。ＲＯＭ７８ａは、画像読取装置１４を制御する制御プログラム、並びに、画像読取装置１４に関連する画像データ、制御データ及び画像データと制御データとを関連付ける対応テーブルなどを記憶する。ＲＡＭ８０は、ＣＰＵ７６が画像読取装置１４を制御するためのデータなどを一時的に記憶する。画像読取装置制御部８２は、自動原稿送り装置５０及びスキャナ５２などをＣＰＵ７６の制御に基づいて制御する。通信Ｉ／Ｆ８４は、シリアルバス８８及びパラレルバス９０を介して画像形成装置本体１２との間で信号を送受し、システムバス８６を介してＣＰＵ７６及びＲＯＭ７８ａなどとの間で信号を送受する。
【００２７】外部シート供給装置１６は、ＣＰＵ７６、ＲＯＭ７８ｂ、ＲＡＭ８０、外部シート供給装置制御部９２及び通信Ｉ／Ｆ８４などを有し、これらが互いにシステムバス８６を介して信号を入出力することができるように構成されている。
なお、外部シート供給装置１６を構成する各部分において、画像読取装置１４を構成する各部分と実質的に同じものには同一の符号が付してある。
ＲＯＭ７８ｂは、外部シート供給装置１６を制御する制御プログラム、並びに、外部シート供給装置１６に関連する画像データ、制御データ及び画像データと制御データとを関連付ける対応テーブルなどを記憶する。外部シート供給装置制御部９２は、オプショントレイ５８ａ，５８ｂそれぞれの供給ヘッド２２などをＣＰＵ７６の制御に基づいて制御する。
【００２８】後処理装置１８は、ＣＰＵ７６、ＲＯＭ７８ｃ、ＲＡＭ８０、後処理装置制御部９４及び通信Ｉ／Ｆ８４などを有し、これらが互いにシステムバス８６を介して信号を入出力することができるように構成されている。
なお、後処理装置１８を構成する各部分において、画像読取装置１４を構成する各部分と実質的に同じものには同一の符号が付してある。
ＲＯＭ７８ｃは、後処理装置１８を制御する制御プログラム、並びに、後処理装置１８に関連する画像データ、制御データ及び画像データと制御データとを関連付ける対応テーブルなどを記憶する。後処理装置制御部９４は、ステープラ６０などをＣＰＵ７６の制御に基づいて制御する。
以下、画像読取装置１４、外部シート供給装置１６及び後処理装置１８のいずれかを特定せずに記載する場合には、単に周辺装置と略記することがある。
【００２９】次に周辺装置に関連する表示データについて詳述する。
図３において、外部シート供給装置１６に関連する情報を画像形成装置本体１２のＵＩ部５６に表示する例として『トレイ選択画面』が示されている。
作業者が例えば『トレイ選択画面』を表示するようにＵＩ部５６を介して選択すると、画像形成装置本体１２は、外部シート供給装置１６に関連した表示データを外部シート供給装置１６のＲＯＭ７８ｂから受信してＵＩ部５６に表示する。例えば画像形成装置本体１２に接続される外部シート供給装置１６がオプショントレイ５８ａのみを有するものから、オプショントレイ５８ａ，５８ｂを有するものに変更されると、ＵＩ部５６に表示される画像も接続される外部シート供給装置１６の種類に応じて変化する。また、『トレイ選択画面』に複数のトレイが表示されている場合、使用される１つのトレイを白抜きの表示にすることにより、使用されるトレイがどのトレイであるかを示すようにしてもよい。
【００３０】また、後処理装置１８において、シート排出トレイ４４ａ，４４ｂのいずれかから、シートの排出先を選択する場合には、後処理装置１８に関連した表示データを後処理装置１８のＲＯＭ７８ｃから画像形成装置本体１２が受信して、ＵＩ部５６に表示し、作業者がシート排出トレイ４４ａ，４４ｂのいずれかを選択できるようにしてもよい。
【００３１】図４において、周辺装置に関連する異常をＵＩ部５６に表示する例が示されている。例えば後処理装置１８において異常が発生すると、後処理装置１８の異常に関連した表示データを後処理装置１８のＲＯＭ７８ｃから画像形成装置本体１２が受信して、異常個所などを示す『異常通知画面』を表示する。また、後処理装置１８において、ステープラ６０のピンがなくなった場合には、ピンの交換手順を示す画面を表示するようにしてもよい。
【００３２】次に、ＵＩ部５６に表示すべき表示データを周辺装置から画像形成装置本体１２に送信するタイミングについて説明する。図５は、ＵＩ部５６に表示すべき表示データを周辺装置が送信する２つのタイミングを示す図である。図５（Ａ）において、ＵＩ部５６が表示データに基づく表示をすることが必要な場合に、周辺装置から表示データを送信するタイミングが示されている。ＵＩ部５６が表示データに基づく表示をすることが必要になる（表示のイベントが発生する）と、周辺装置から画像形成装置本体１２のＣＰＵ６２及びＲＡＭ６６などを介し、ＵＩ部５６に表示データが送信時間Ｔ１で送信され、ＲＯＭ７８ａ〜７８ｃに記憶されているデータに基づく表示がＵＩ部５６によって表示される。
【００３３】一方、図５（Ｂ）において、周辺装置が有効になった場合に表示データを周辺装置から送信するタイミングが示されている。周辺装置は、例えば電源をオンにした場合、又は、電源がオンの状態で周辺装置が接続された場合に有効になる。周辺装置が有効になると、ＵＩ部５６において表示データが必要であるか否かにかかわらず、画像形成装置本体１２のＣＰＵ６２を介し、ＲＡＭ６６などに表示データが送信時間Ｔ１’で送信される。表示データは、例えば電源がオフにされるまでの間など、一時的にＲＡＭ６６に保持される。よって、表示のイベントが発生すると、ＵＩ部５６はＲＡＭ６６にアクセス時間Ｔ２でアクセスし、ＲＯＭ７８ａ〜７８ｃに記憶されていたデータに基づく表示をすることができる。
【００３４】このように、表示データを表示のイベントが発生した場合に送信すると画像形成装置本体１２のＲＡＭ６６などを効率的に利用することができ、ＣＰＵ６２及び周辺装置のＣＰＵ７６などに不必要な負荷がかかることを防止することができる。一方、周辺装置が有効になった場合に表示データを送信しておくと、表示のイベントに対する表示の応答を速くすることができる。よって、表示の応答を速くする必要があるデータは周辺装置が有効になった場合に送信し、表示に時間がかかってもよいデータは表示のイベントが発生した場合に送信するようにしてもよい。例えば時間がかかってもよい表示には、初期画面及び待ち受け画面などがあり、応答を速くする必要がある表示には、シートづまりの発生、原因及び除去手順などがある。また、表示データを表示のイベントが発生した場合に送信することと、周辺装置が有効になった場合に表示データを送信しておくこととは、表示する画面の使用頻度によって分けられてもよい。例えば使用頻度が高い画面には周辺装置の交換及び操作手順の表示などがあり、使用頻度が低い画面には故障に対応する手順の表示などがある。
【００３５】次に、周辺装置に関連するＵＩ部５６の表示の構成について説明する。図６において、周辺装置に関連するＵＩ部５６の表示の構成が示されている。例えば後処理装置１８でシートづまりが発生すると、後処理装置１８のシートづまりに対するシートの除去手順に関連した表示データを後処理装置１８のＲＯＭ７８ｃから画像形成装置本体１２が受信して、『シートづまり時のシート除去手順』をＵＩ部５６が表示する。『シートづまり時のシート除去手順』を示す画面には、『画面フレーム』、『手順表示画像』及び『メッセージ』のデータが含まれており、それぞれのデータは、図７に示した対応テーブルに基づいて合成され、ＵＩ部５６に表示されている。例えば、図６に示した『シートづまり時のシート除去手順』は、図７に示した対応テーブルの『手順コード』がＪ１の場合に合成された例を示す。即ち、対応テーブルは、『手順コード』と合成されるべきデータとを対応させており、『手順コード』がＪ１の場合には、『画面フレーム』をＦＲ１とし、『手順表示画像』をＰＲ１とし、『メッセージ』をＭＳＧ１として、シートづまり時におけるシート除去手順を順次案内するようにされている。
なお、画像形成装置１０において、『画面フレーム』及び『手順表示画像』は画像データとして扱われ、『手順コード』は制御データとして扱われるようにしてある。
また、汎用的な『画面フレーム』などは周辺装置が有効になった場合に周辺装置から送信し、個別の『メッセージ』などは表示の必要が発生した場合に周辺装置から送信するようにしてもよい。
【００３６】次に、ＵＩ部５６に対し、周辺装置に関連する情報を表示させる処理について説明する。図８は、ＵＩ部５６に対し、周辺装置に関連する情報を表示させる処理を示すフローチャート（Ｓ１０）である。図８に示すように、ステップ１００（Ｓ１００）において、周辺装置は、画像形成装置本体１２に対して該周辺装置に関連する対応テーブル、並びに対応テーブルに含まれた『画面フレーム』、『手順表示画像』及び『メッセージ』のデータを送信する。画像形成装置本体１２が受信した受信データは、例えばＲＡＭ６６に記憶される。
【００３７】ステップ１０２（Ｓ１０２）において、上述したシートづまりなどの異常など（表示イベント）が周辺装置に発生するとＳ１０４の処理に進む。
【００３８】ステップ１０４（Ｓ１０４）において、周辺装置は、表示イベントに対応した『手順コード』を、シリアルバス８８を介して画像形成装置本体１２に送信する。
【００３９】ステップ１０６（Ｓ１０６）において、画像形成装置本体１２のＣＰＵ６２は、ＲＡＭ６６に記憶されている対応テーブルを参照し、Ｓ１０４で受信した『手順コード』に対応する『画面フレーム』、『手順表示画像』及び『メッセージ』を合成し、ＵＩ部５６に表示させる。
【００４０】次に、上記実施形態の作用について説明する。
画像形成装置１０においては、画像形成装置本体１２に、例えば画像読取装置１４、外部シート供給装置１６及び後処理装置１８が接続されると、表示の応答を速くする必要があるデータは、それぞれの周辺装置から画像形成装置本体１２に送信される。作業者が周辺装置及び画像形成装置本体１２に対し、ＵＩ部５６を介して処理などの設定を行うと、シート供給トレイ２０又はオプショントレイ５８ａ，５８ｂのいずれかからシートが供給ヘッド２２によって送り出され、シート供給路２４に導かれる。そして、シートは、転写ロール３６によりトナー像を転写され、定着装置４０により定着され、シート排出路４２から後処理装置１８のシート排出トレイ４４ａ，４４ｂに排出される。ただし、両面印刷が設定された場合には、シートは、シート排出路４２から反転装置４６に送られ、この反転装置４６で反転され、シート反転路４８に送られ、再びシート供給路２４に戻され、プリントエンジン２６に送られて他面の印刷がなされる。
【００４１】以上のように、画像形成装置本体１２などの電子装置本体は、画像読取装置１４、外部シート供給装置１６及び後処理装置１８などの周辺装置に設けられたＲＯＭ７８ａ〜７８ｃなどのメモリに記憶されている表示データを受信して、周辺装置に関連する表示をＵＩ部５６にさせるので、電子装置本体が有するメモリの容量を抑えつつ、電子装置本体が周辺装置に関連する情報を容易に表示することができる。
また、周辺装置に設けられたＲＯＭなどのメモリが表示データ、制御データ、及び周辺装置を制御する制御プログラムなどを記憶し、電子装置本体に周辺装置が接続されると、周辺装置が電子装置本体に対して周辺装置に関連するデータを送信することにより、作業者が周辺装置の変更に応じてソフトウェアを交換することを不要にすることができる。
電子装置本体が受信した表示データなどは、例えば電源がオフにされること、又は周辺装置が取外されることなどによって消去されるようにしてもよく、接続されている周辺装置のみに対応する表示データなどを電子装置本体が保持するようにしてもよい。
画像形成装置本体１２のＲＡＭ６６又はＲＯＭ６４（フラッシュＲＯＭの場合など）は、周辺装置から受信したデータの履歴を示すデータを記憶し、受信履歴のない表示が必要になった場合にＣＰＵ６２が表示データの受信を行うようにしてもよい。
【００４２】
また、周辺装置の種類などに応じたソフトウェアを周辺装置内に記憶させておくので、ソフトウェアの管理を容易にすることができる。周辺装置は、ＲＯＭなどの表示データを記憶するメモリを具備していれば、ＣＰＵを具備していなくてもよい。
さらに、電子装置本体の開発中に、周辺装置に関連する表示データ等を用意しなくても電子装置本体と周辺装置とを接続することができ、それぞれの開発時期を独立させることができる。
なお、電子装置本体が画像形成装置本体１２など場合には、課金を管理するコインユニットなどが周辺装置として接続されるようにしてもよい。
【００４３】
【発明の効果】以上述べたように、本発明によれば、周辺装置に表示用のデータをもたせたので、周辺装置に関連する情報を容易に表示することができる。
【図面の簡単な説明】
【図１】本発明の実施形態に係る画像形成装置の側面を示す図である。
【図２】本発明の実施形態に係る画像形成装置の構成を示す図である。
【図３】外部シート供給装置に関連する情報を画像形成装置本体のＵＩ部に表示する例を示す図である。
【図４】周辺装置に関連する異常をＵＩ部に表示する例を示す図である。
【図５】ＵＩ部に表示すべき表示データを周辺装置が送信する２つのタイミングを示す図である。
【図６】周辺装置に関連するＵＩ部の表示の構成を示す図である。
【図７】後処理装置の対応テーブルの例を示す図である。
【図８】ＵＩ部に対し、周辺装置に関連する情報を表示させる処理を示すフローチャートである。
【符号の説明】
１０    画像形成装置
１２    画像形成装置本体
１４    画像読取装置
１６    外部シート供給装置
１８    後処理装置
４４ａ，４４ｂ    シート排出トレイ
５６    入力・表示（ＵＩ）部
５８ａ，５８ｂ    オプショントレイ
６０    ステープラ
６２，７６    ＣＰＵ
６４，７８ａ〜７８ｃ    ＲＯＭ
６６，８０    ＲＡＭ
６８，８４    通信インターフェイス部（通信Ｉ／Ｆ）
８８    シリアルバス
９０    パラレルバス
【図１】
2005055492.tif 000003
【図２】
2005055492.tif 000004
【図３】
2005055492.tif 000005
【図４】
2005055492.tif 000006
【図５】
2005055492.tif 000007
【図６】
2005055492.tif 000008
【図７】
2005055492.tif 000009
【図８】
2005055492.tif 000010